(57)【要約】【課題】一般住宅に適した、コンパクトでコスト負担のかからない、しかも、誰にでも簡単、かつ、迅速に操作が可能な、屋内消火栓に代わる一般住宅用の簡易消火装置を提供する事。【解決手段】室内の壁面に埋め込み取り付けられたケースの内部に水道の給水管を導入し、前記給水管の末端に止水弁を設け、前記止水栓の他方に前記ケース内部に折り畳まれて収納された消火用ホースを連通し、前記消火用ホースの他方に楕円扁平状の消火用ノズルを設け、前記ケースの前面開口部に、取っ手または突起状のつまみを設けたカバーで覆ってなる簡易消火装置。【選択図】図１
2004298273.tif 000002
【特許請求の範囲】
【請求項１】
室内の壁面に埋め込み取り付けられたケースの内部に水道の給水管を導入し、前記給水管の末端に止水弁を設け、前記止水栓の他方に前記ケース内部に折り畳まれて収納された消火用ホースを連通し、前記消火用ホースの他方に楕円扁平状の消火用ノズルを設け、前記ケースの前面開口部を、取っ手または突起状のつまみを設けたカバーで覆ってなる簡易消火装置。
【請求項２】
前記カバーを前記ケースから取り外す事で、前記給水管と前記消火用ホースの間に設けた前記止水弁が自動的に開放する機構をもつ、請求項１に記載の簡易消火装置。
【請求項３】
前記消火用ホースの背面に設けられたバネ等の弾性体の付勢力、折り畳まれた消火用ホースの復元力、または消火用ホースの自重のいずれか一つ若しくはこれらの組合せにより、前記カバーを取り外した時に前記消火用ホースが前記ケースの外に飛び出す機構をもつ、請求項１または請求項２に記載の簡易消火装置。
【請求項４】
前記消火用ノズルが、前記カバーまたはカバーに設けられた前記取っ手と一体成形された、或いは前記カバーまたは前記取っ手に固定されてなる、請求項１から請求項３のいずれかに記載の簡易消火装置。
【発明の詳細な説明】
【０００１】
【発明の属する技術分野】
本発明は、水道の給水圧を用いて消火用の散水を行う、建物内、特に一般住宅に設置される簡易消火装置に関する。
【０００２】
【従来の技術】
従来の屋内消火栓を詳述すると、以下のとおりである。
正面部が扉で形成されている箱状のケース内に、ドラムを取り付けた支持脚と、この支持脚と扉を繋ぐ連結棒が格納され、扉を開く事で、箱状のケース内からドラムが繰り出される構造になっている。前記ドラムには、先端にノズルを有する消火用ホースが巻き付けられ、該消火用ホースの上流側には、ロータリーエルボを介して、給水管とレバーハンドル付開閉バルブと止水弁とが連結されている。レバーハンドル付開閉バルブは、前記扉の開動作に連動して、開弁するように構成されている。また、前記箱状のケース内には、前記扉の開状態により、開動に応答するスイッチを設け、このスイッチは、給水経路に前記消火用ホースに給水するために設けられたポンプに電流を流して、ポンプが運転するように構成されている（例えば、特許文献１参照のこと。）。
【０００３】
【特許文献１】
特開平１−２５０２７３号公報
【０００４】
【発明が解決しようとする課題】
従来の屋内消火栓では、特に火災時の初期消火を迅速に行うために、前記屋内消火栓の扉を開動する事で、消火用ホースを巻き付けたドラムを箱状のケースから繰り出されると同時に、レバーハンドル付開閉バルブが開き、更に扉の開動に応答して、給水経路に設けられたポンプに電流を流すスイッチが作動するようになっている。ここでポンプが使用されるのは、消火水は防火用貯水槽から汲み上げ、所定の水圧まで昇圧して供給しなければならないからである。
このような屋内消火栓は、消防法により設置を義務づけられた防火対象物におもに設けられるため、ポンプやドラムといった複雑な構造を必要とし、よって、箱状のケースも非常に大きな物であった。また、その操作については、消火用ホースを巻き付けたドラムが設けられている事からも明らかであるが、前記消火用ホースをドラムから巻き出す必要があり、火災時の初期消火において、その作業が容易に行えるとは限らない。
このような屋内消火栓は、その大きさと、ドラムやポンプといった構成要素から考えられる費用の両面から、消防法により屋内消火栓の設置義務がない、例えば、一般住宅では、設置される事が極めて希である。
【０００５】
しかしながら、平成１３年度版の消防白書にも明記されているとおり、建物住宅での火災において、前記屋内消火栓の設置義務がある建物より、設置義務のない一般住宅で、高齢者を中心とした多数の方が亡くなられており、一般住宅に適した消火装置の開発は、急務とされている。
本発明は、上記課題を解決するためになされたもので、本発明の目的は、一般住宅に適した、コンパクトでコスト負担がかからない、しかも、誰にでも簡単に、かつ、迅速に操作が可能な、屋内消火栓に代わる一般住宅用の簡易消火装置を提供する事にある。
【０００６】
【課題を解決するための手段】
上記目的を達成するために、本発明の請求項１では、室内の壁面に埋め込み取り付けられたケースの内部に水道の給水管を導入し、前記給水管の末端に止水弁を設け、前記止水栓の他方に前記ケース内部に折り畳まれて収納された消火用ホースを連通し、前記消火用ホースの他方に楕円扁平状の消火用ノズルを設け、前記ケースの前面開口部に、取っ手または突起状のつまみを設けたカバーで覆ってなる簡易消火装置とした。
【０００７】
これにより、一般住宅に供給されている水道の給水管より消火水を導入し、その水道の水圧を用いるのでポンプが不要となる。また必要な構成要素をケース内の最小限の空間に納める事を可能とし、コンパクトに形成され、しかもコストのかからない一般住宅用の簡易消火装置を提供する事が可能となる。
また、壁内に主要部分が格納されるので、設置場所を選ばず、設置場所が通路であっても邪魔になることがない。
さらに、ポンプを稼動する電力が供給されなくなっても、消火活動が行なえるので、今まで以上に安全性が向上する。
【０００８】
本発明の請求項２では、カバーを取り外す事で、給水管と消火用ホースの間に設けた止水弁が自動的に開放する機構をもつ、請求項１に記載の簡易消火装置とした。
【０００９】
これにより、止水弁を開く操作がなくなり、カバーを取り外すだけで、誰にでも容易に、かつ、迅速に消火活動ができるようになる。また、被災者がパニック状態にある時、複数の操作を必要とする動作において、想像もしない時間を要する事があるので、カバーを外す１操作だけで、消火活動が行える事は、消火活動に移るまでの時間が短縮される。まして、使用頻度が少ない消火装置の操作方法を覚えている人は少ないので、パニック状態になっていなくても、時間がかかる恐れがありえるので、１操作で消火活動が行えるのは、重要な事である。
【００１０】
本発明の請求項３では、消火用ホースの背面に設けられたバネ等の弾性体の付勢力、折り畳まれた消火用ホースの復元力、または消火用ホースの自重のいずれか一つ若しくはこれらの組合せにより、カバーを取り外した時に消火用ホースが前記ケースの外に飛び出す機構をもつ、請求項１または請求項２に記載の簡易消火装置とした。
【００１１】
これにより、今まで消火用ホースを引き出す操作が必要だったが、カバーを取り外すだけで消火用ホースが飛び出すので、誰にでも容易に、かつ、迅速に消火用ホースの取り出し操作が出来るので、簡易消火装置を使って消火、または、避難経路確保のための散水操作を行う事が可能となる。
【００１２】
本発明の請求項４では、消火用ノズルが、カバー、または、カバーに設けられた取っ手と一体成形された、或いは前記カバーや取っ手に固定されてなる、請求項１から請求項３のいずれかに記載の簡易消火装置とした。
【００１３】
これにより、取っ手を掴んでカバーを取り外す事で、消火用ノズルと共に消火用ホースが取り出され、かつ、消火用ノズルの噴出方向を容易に定める事が出来るので、簡易消火装置を使って消火、または、避難経路確保のための散水操作を行う事が可能となる。
【００１４】
【発明の実施の形態】
以下に本発明の第１の実施形態について説明する。
図１は、本発明の簡易消火装置を住宅の壁面に埋め込んだ場合の横断面図である。住宅の壁１の内部空間に合成樹脂成形体からなる簡易消火装置用のケース２が埋め込まれ、壁１に固定されている。また壁内部の下側より給水用樹脂配管３が導入されており、ケース２の下面より挿入され、継手４に接続されている。継手４と止水弁５は、金属製の締結バンド２０で接続され、締結バンド２０がケース２にネジ止めされることにより、給水用樹脂管３がケース２に固定される。
【００１５】
止水弁５は、内部に上流側パッキン６ａと下流側パッキン６ｂ、及びボール状の弁体７からなっている。弁体７は、通水経路と直交する方向に、弁体７を開閉状態に切り替えるための弁体軸８と、その弁体軸８にネジで固定されたハンドル９から構成されている。前記止水弁５の下流側は、金属製の締結バンド２０によって、消火用ホース接続金具１０と連結され、これでケース２に固定されている。
【００１６】
消火用ホース１２は、消火用ホース接続金具１０に挿入され、消火用ホース固定リング１１で圧着固定されている。消火用ホース１２は、ポリエステル樹脂で形成され、該ホースの外面は繊維状、内面はライニングが施されている。該消火用ホース１２は、全長は略１ｍで、カバー１４により消火用ノズル１３を介して、前記ケース２の奥行き方向に押し込まれる形で折り畳まれて、ケース２内の上部に収納されている。該消火用ホース１２の下流側先端には、合成樹脂で成形された消火用ノズル１３が、加熱溶着されている。
尚、図１では、消火用ホース１２は、内面をポリエステル樹脂でライニングが施されているが、内面を合成ゴムでライニングが施されたものでもよい。同様に、図１では、消火用ホース１２は、ケース２の奥行きに対して折り畳まれてケース２に収納されているが、折り畳み方向はこれに限定されるものではなく、ケース２の幅方向に対して折り畳まれてケース２に収納されてもよい。
また、図１では、消火用ホース１２の下流側先端に、消火用ノズル１３を加熱溶着しているが、必ずしも加熱溶着する必要はなく、固定リング等で圧着固定してもよい。
更に、消火用ホース１２の全長は略１ｍとあるが、これは、ケース２が最小の場合であって、ケース２の大きさや折り畳み方向によって、格納出来る空間が異なるので、消火用ホース１２の全長は、略１ｍに限定するものではなく、格納最大限の範囲内であれば良い。
【００１７】
消火用ノズル１３は合成樹脂製で、ノズルの通水断面積は上流側が大きく下流側が小さく形成されており、その絞り比率は、上流側断面積４に対して下流側断面積１である。ノズルの通水断面の形状は楕円扁平状に成形されており、その楕円の短径と長径の比率は、略１／２である。また、消火用ノズルは、操作性向上のため、軽量である合成樹脂で形成されているが、アルミニウム合金などの金属類で形成されてもよく、かつ、消火用ノズル１３の絞り比は、消火散水時の噴霧距離が確保できる比率であれば、必ずしも前記の略１／４に限定するものでなく、更に消火用ノズル１３の短径と長径の比率は、ケース２への格納可能範囲であれば、前記の略１／２に限定するものではない。
【００１８】
カバー１４は、合成樹脂で成形され、一体成形された図示しないツメにより、ケース２に固定されている。該カバー１４の上部と下部には、取っ手１５を固定する固定金具１６があり、上部の固定金具１６は、該カバー１４を介して消火用ノズル１３と固定金具接続ネジ３０でネジ止めされている。下部の固定金具１６は、該カバー１４に圧入されている。
合成樹脂で成形された取っ手１５は、該固定金具１６に合成樹脂製の圧入プラグ１７を介して接続されている。圧入プラグ１７は、固定金具１６の取っ手側に形成されたプラグ挿入口径より、外径で略１割、大きく成形されている。また、該圧入プラグ１７の取っ手挿入口内径は、取っ手１５の外径と略同一に形成されている。
なお、図１では、カバー１４と取っ手１５を固定金具１６と圧入プラグ１７で接続しているが、合成樹脂で一体的に成形されてもよい。
【００１９】
図２は、本発明の消火用ノズル１３の詳細図である。消火用ノズル１３は、合成樹脂で成形されており、上流側には、消火用ホース１２に挿入し加熱溶着するため、消火用ホース挿入口３３の外周面を鋸の歯状に成形している。該鋸の歯状の凸部は、消火用ホース１２に挿入して加熱する事で溶けて、消火用ホース１２の内面のライニングと溶着される。また、消火用ノズル１３は、消火用ホース１２を前記のとおり加熱溶着するためと共に、操作性向上のため、軽量である合成樹脂で形成されているが、消火用ノズル１３を挿入された消火用ホース１２を圧着固定する固定用リング等を用いれば、加熱溶着する必要がないので、アルミニウム合金などの金属類で形成されてもよい。
【００２０】
図２の（ｂ）に示すように消火用ノズル１３には、消火用ホース挿入口３３側から下流側に、該消火用ノズル１３の全長の略３／４まで、通水断面積が大きい大口径のノズル導入口３２で形成され、その下流側先端は、通水断面積が小さい小口径のノズル先端３１が形成される。
ノズル先端３１は、上流端３４から下流側散水口３５に向かって、通水断面積が徐々に拡大されており、散水口３５の通水断面積は、上流端３４の通水断面積の略５／４倍である。
消火用ノズル１３の断面形状は、上流側よりの通水断面積が大きい大口径のノズル導入口３２から、ノズル先端３１の最小通水断面積３４を経て、ノズル先端３１で通水断面積が徐々に拡大され、ノズル先端３１の出口である散水口３５へと変化する。これは、有効散水半径が略５ｍで作動水圧が略０．１Ｍｐａの想定において、ノズルの噴霧力を最大に高め、かつスプレーの範囲を有効に広げる形状として取られている。有効散水半径や作動水圧の想定によっては、消火用ノズル１３の内部口径は、前記値に限定されるものでなく、異なる値で形成されても良い。
【００２１】
消火用ノズル１３の下流側面には、取っ手１５を固定金具１６にネジ止めして固定するための、固定金具接続ネジ３０が設けられている。これは、消火用ノズル１３とカバー１４とを固定金具１６で、はさみ込む状態で固定するためのものである。
消火用ノズル１３とカバー１４が固定されているため、カバー１４がケース２に固定されると、消火用ノズル１３のケース２内での位置が決まり、前記消火用ノズル１３に接続された消火用ホース１２が、前記ケース２内の上方に、折り畳まれて押し込まれる構造となる。
【００２２】
図１および図２に示した、一般住宅向け簡易消火装置の作動圧力は、一般住宅に配設された給水管の給水圧で十分である。よって、消火用ポンプ等の消防法で設置を義務付けられた屋内消火栓にみられるポンプ等の付帯設備を必要としない。
また、前記簡易消火装置は、ボール状の弁体７からなる止水弁５で通常時の止水を行っており、必要な通水口径に対して、最小最適に形成されている。更に消火用ホース１２と消火用ノズル１３が、前記ケース２の奥行き方向に収納されており、かつ、消火用ノズル１３は、収納の際に、消火用ホース１２の折り畳まれる空間を最大となすために、その断面形状が、楕円扁平状に形成されている。これらの事により、前記の一般住宅向け簡易消火装置は、必要な構成要素を最小限の空間に納める事を可能とし、一般住宅の壁等に容易に収納する事が出来る。
【００２３】
前記の一般住宅向け簡易消火装置は、階段室や廊下等の避難経路に設置する事が望ましいが、当然ながら、それらの場所の壁等に固定され、設置されており、火災が発生した場合、移動されるおそれのある、一般的に使われる消火液等を封入した消火器と比べて、設置されている場所が特定されるので、被災者が迷う事なく、前記簡易消火装置の設置場所にたどり着き、消火活動や避難活動に供する事が出来る。
【００２４】
火災が発生した場合、被災者は、前記簡易消火装置のカバー１４に設けられた取っ手１５を握って、カバー１４をケース２から引き出す事で、固定金具１６とはさみ込む状態でカバー１４に接続された消火用ノズル１３が、一体的に引き出される。更に、消火用ノズル１３は、取っ手１５と一体的に構成されているので、取っ手１５を握ったまま、消火用ノズル１３を火災が発生している場所に向ける事で、消火用ノズル１３の位置が定まり、かつ、消火用水を通水する場合の消火用ホース１２の暴れにも柔軟に対処出来る。これらの事により、高齢者や子供といった、火災に対する弱者でも、容易に簡易消火装置を使った消火、または、避難経路確保のための散水作業が可能となる。
【００２５】
図３は、消火用ホースの折り畳まれていない状態での断面形状と折り畳んだ状態の断面形状である。
図３の（ｃ）に示すように、折り畳まれていない状態では、消火用ホースの断面は、ほぼ円形であり、消火用ホース外面４０は、ポリエステル樹脂で繊維状、かつ筒状に形成されている。また、消火用ホース内面４１は、ポリエステル樹脂でライニングされている。
ケース２の奥行きに対して折り畳み押し込まれている消火用ホース１２は、消火用ホース内面４１の対面がそれぞれ接触する程度に折り畳まれていて、カバー１４で押さえられている。図３の（ａ）に示すように、消火用ホース１２の自重乃至復元力Ｆにより、カバー１４が取り外されると、ケース２の外側に飛び出す。消火用ホース内面４１は、ポリエステル樹脂でライニングされているが、合成ゴムでライニングされても良い。また、折り畳まれた消火用ホース１２のケース２側背面にバネ等の弾性体を設けて、カバー１４が取り外されると、このバネ等の弾性体の付勢力で、前記消火用ホース１２が、前記ケース２の外側に飛び出す構造にしても良い。
【００２６】
前記のごとく、取っ手１５を取り外す事で、カバー１４が取り外され、消火用ホース１２と消火用ノズル１３が、容易に取り出せるので、従来の屋内消火栓でみられた、消火用ホースのドラムからの巻き出し作業は不要であり、誰にでも簡単に簡易消火装置の操作を行う事が出来る。
【００２７】
図４は、本発明の第２の実施形態における簡易消火装置の横断面図である。
ケース２の内部に納められた止水弁５０は、パイロットキック方式の開閉弁である。
図８は、本発明の第２の実施形態における簡易消火装置の横断面図である図４のＡ部の拡大図を示す。
火災時以外の常設時は、カバー１４と一体的に成形された磁石係止部５８により、磁石５１は止水弁５０側に押圧されている。更に、磁石５１の磁力とプランジャーバネ５６の弾性反発力で、金属磁性体で形成されたプランジャー５５は、ダイヤフラム５３側に押しつけられており、プランジャー５５の先端に設けられたパッキン５４により排出口５９が塞がれている。前記の状態では、１次側の給水圧は、パイロット孔６０を介して１次側封圧室６１に止まり、前記ダイヤフラム５３を止水弁本体６３側に押しつけて止水している。
【００２８】
火災が発生した場合、被災者は、前記簡易消火装置のカバー１４に設けられた取っ手１５を握って、カバー１４をケース２から引き出すが、この時、カバー１４と一体的に成形された磁石係止部５８もカバーと共にケース２から取り外されるので、磁石５１は止水弁５０側に押圧される事がなくなり、止水弁本体６３側に設けられた磁石用スプリング５２の弾性反発力により、キャップ６２の先端に設けられたストッパー５７の方向に押し出される。
金属磁性体で形成されたプランジャー５５は、磁石５１の磁力により、プランジャーバネ５６を押し縮めて、ストッパー５７側に移動する。この時、プランジャー５５の先端に設けたパッキン５４も前記ストッパー５７側に移動するので、排水口５９が開放状態となり、その結果、１次側封止室６１内の１次側給水圧が開放され、ダイヤフラム５３を止水弁本体６３側に押しつけ止水していた力がなくなる。ダイヤフラム５３は、１次側給水圧によって止水弁本体６３から離れリフトされた状態となり、給水１次側と２次側、つまり、消火用ホース１２側が連通状態となり、消火用ホース１２を介して消火用ノズル１３に消火用水が送られる。
【００２９】
前記のとおり、火災が発生した場合、被災者がカバー１４を取り外す事で自動的に前記止水弁５０が開放状態となるので、高齢者や子供といった、火災に対する弱者でも、止水弁を開弁する事なく、容易、かつ迅速に簡易消火装置を使った消火、または、避難経路確保のための散水作業が可能となる。
【００３０】
図７は本発明の第３の実施形態における横断面図であり、図５は、第３の実施形態における横断面図である図７のＥ−Ｅ断面図である。また、図６は、本発明の第３の実施形態における、止水弁５のハンドル９の詳細図である。
【００３１】
図５において、止水弁５は、ボール状の弁体７に接続してなる弁体軸８をケース２の側面にのぞませているので、前記弁体軸８にネジで固定されたハンドル９は、ケース２の側面に沿って伸びている。
【００３２】
図７に示すような止水弁５とカバー１４間との空間を確保するために、図６に示したハンドル９は、Ｌ形の形状をしている。すなわち、ハンドル軸２６と、このハンドル軸２６に対して垂直に伸びるハンドル操作鉤２７でＬ形を構成し、一体的に成形されている。
また、ハンドル軸２６の軸端部には、弁体軸ネジ固定部２５が設けられており、該弁体軸ネジ固定部２５には、弁体軸８を挿入する弁体軸ガイド２８が、やはり一体的に成形されている。
【００３３】
一方で、前記Ｌ形の形状で、ハンドル９を構成すると、前記ハンドル操作鉤２７の先端部であるハンドル角部２９をＮ方向、すなわちケース２の前面から奥に向かう方向に押す事で、弁体軸ガイド２８のＣ点を中心として、Ｔの方向に回転する。この時、ハンドル角部２９の押し力Ｎ、及び、その作用点Ｍと弁体軸ガイド２８の中心であるＣ点との距離に比例したトルクでハンドル操作が出来るので、小さな押し力Ｎで大きな開弁トルクを得る事が可能となる。
これらの事により、ハンドル９の開弁操作を容易に行う事が可能となり、高齢者や子供といった、力の弱い方でも、容易に簡易消火装置を使った消火、または、避難経路確保のための散水作業が可能となる。
【００３４】
図７において、止水弁５の開弁用のハンドル９が、ケース２の側面に向けられた事で、ケース２の正面中央部には、止水弁５のハンドル９が配設されるが事なく、従って、前記止水弁５とカバー１４間に空間が設けられ、消火用ホース１２はハンドル９と干渉する事なく、ケース２の上方のみならず、止水弁５とカバー１４間の空間を通って、ケース２の下方まで配設する事が可能となり、図１に示した第１の実施形態より、同じ容積のケース２において、消火用ホース１２の全長が略５０％長くなる。これにより、前記簡易消火装置を用いた消火、または、避難経路確保のための散水作業が、より広い範囲で可能となる。
【００３５】
【発明の効果】
本発明によれば、室内の壁面に埋め込み取り付けたケース内に、一般住宅に供給されている給水管を導入し、その水圧を用いることでポンプが不要であり、必要な構成要素をケース内の最小限の空間に納める事を可能としたので、コンパクトに形成され、しかもコストのかからない一般住宅用の簡易消火装置を提供する事が可能となる。
また、消火用ホース１２をケース２の上部に折畳んで、カバー１４で抑えて格納しているので、カバー１４が外れると、消火用ホース１２は復元力や自重でケース外に取り出されるが、消火用ホースに裏面にバネ等の弾性反発力を利用すると、より素早くより確実に消火用ホース１２が取り出せる。
さらに、カバー１４を取り外す事で、止水弁が自動的に開放する機能を持ち、消火用ノズルがカバー１４と取っ手１５と一体に成形されることで、取っ手を引き抜く１操作で、迅速に消火活動や避難経路確保のための散水操作が行えるようになる。
【図面の簡単な説明】
【図１】本発明の実施の形態における簡易消火装置の横断面図である。
【図２】本発明の実施の形態における消火用ノズル１３の詳細図である。
【図３】本発明の実施形態における簡易用ホースを折り畳んだ状態の横断面図である。
【図４】本発明の第２の実施形態における簡易消火装置の横断面図である。
【図５】本発明の第３の実施形態における簡易消火装置の横断面図である図７のＥ−Ｅ断面図である。
【図６】本発明の第３の実施形態における止水弁ハンドルの詳細図である。
【図７】本発明の第３の実施形態における簡易消火装置の横断面図である。
【図８】本発明の第２の実施形態における簡易消火装置の横断面図である図４のＡ部の拡大図である。
【符号の説明】
１：壁
２：ケース
３：給水用樹脂配管
４：継手
５：止水弁
６ａ：上流側パッキン
６ｂ：下流側パッキン
７：弁体
８：弁体軸
９：ハンドル
１０：消火用ホース接続金具
１１：消火用ホース固定リング
１２：消火用ホース
１３：消火用ノズル
１４：カバー
１５：取っ手
１６：固定金具
１７：圧入プラグ
２０：締結バンド
２５：弁体軸ネジ固定部
２６：ハンドル軸
２７：ハンドル操作鉤
２８：弁体軸ガイド
２９：ハンドル角部
３０：固定金具接続ネジ
３１：ノズル先端
３２：ノズル導入口
３３：消火用ホース挿入口
３４：上流端
３５：散水口
４０：消火用ホース外面
４１：消火用ホース内面
５０：止水弁
５１：磁石
５２：磁石用スプリング
５３：ダイヤフラム
５４：パッキン
５５：プランジャー
５６：プランジャーバネ
５７：ストッパー
５８：磁石係止部
５９：排出口
６０：パイロット孔
６１：１次側封圧室
６２：キャップ
６３：止水弁本体
【図１】
2004298273.tif 000003
【図２】
2004298273.tif 000004
【図３】
2004298273.tif 000005
【図４】
2004298273.tif 000006
【図５】
2004298273.tif 000007
【図６】
2004298273.tif 000008
【図７】
2004298273.tif 000009
【図８】
2004298273.tif 000010